(57)【要約】【課題】テープカートリッジの保持装置において、テープカートリッジの中心位置と異なる位置に配置された凹所を利用し、外形形状に傾斜部を有しないテープカートリッジであったとしても、逆挿入を確実に防止することを目的とする。【解決手段】テープカートリッジホルダー２側に、テープカートリッジ１の中心位置と異なる位置に配置された凹所１ａに係合可能な爪部４ａと、爪部４ａと連動するテープカートリッジ係止部４ｂを有する係止片４を設けた。通常の挿入時には、爪部がテープカートリッジの凹所に係合し、これに連動するテープカートリッジ係止部はテープカートリッジが係止しない位置となる。逆挿入時には、爪部がテープカートリッジの凹所に係合せず、これに連動するテープカートリッジ係止部はテープカートリッジが係止する位置となり、以て確実にテープカートリッジの逆挿入を防止する。【選択図】        図１
2004220669.tif 000002
【特許請求の範囲】
【請求項１】
テープカートリッジの保持装置において、テープカートリッジホルダー側に、テープカートリッジの中心位置と異なる位置に配置された凹所に係合可能な爪部と、この爪部と連動するテープカートリッジ係止部を有する係止片を設けたことを特徴とするテープカートリッジ逆挿入防止機構。
【請求項２】
請求項１記載のテープカートリッジ逆挿入防止機構において、凹所に係合可能な爪部と、この爪部と連動するテープカートリッジ係止部を一体に有する係止片を設けたことを特徴とするテープカートリッジ逆挿入防止機構。
【請求項３】
請求項１または請求項２記載のテープカートリッジ逆挿入防止機構において、凹所に係合可能な爪部と、この爪部と連動するテープカートリッジ係止部を複数個有することを特徴とするテープカートリッジ逆挿入防止機構。
【発明の詳細な説明】
【０００１】
【発明の属する技術分野】
本発明は、テープ駆動用孔などの凹所を有するテープカートリッジを使用する磁気記録装置において、前記テープカートリッジを収納するテープカートリッジホルダーのテープカートリッジ逆挿入防止機構に関するものである。
【０００２】
【従来の技術】
従来、この種の逆挿入防止機構は、ディスクに設けられた逃げ用傾斜面に沿って滑動する逆挿入防止部材を設け、ディスクを、前後もしくは表裏が逆の状態で挿入した際には、逃げ用傾斜面がなく逆挿入防止部材が滑動しないため、ディスクが逆挿入防止部材に当たり挿入できないよう構成されている（たとえば、特許文献１参照。）。
【０００３】
【特許文献１】
実願平３−１１２６４１号（実開平５−５５３３８号）のＣＤ−ＲＯＭ（第２頁、図２−図３）
【０００４】
【発明が解決しようとする課題】
しかし、上記した従来の逆挿入防止機構は、ディスクの外形部分に逃げ用傾斜面（傾斜部）を設けていることが必要であり、外形形状に逃げ用傾斜面を有しないディスクにおいては、逆挿入を防止することができないと言う問題点があった。
【０００５】
本発明は、前記のような問題点を解決するためになされたものであり、外形形状に傾斜部を有しないテープカートリッジであったとしても、逆挿入を確実に防止することのできるテープカートリッジ逆挿入防止機構を提供することを目的としている。
【０００６】
【課題を解決するための手段】
前記課題を解決するために、本発明の請求項１記載のテープカートリッジ逆挿入防止機構は、テープカートリッジの保持装置において、テープカートリッジホルダー側に、テープカートリッジの中心位置と異なる位置に配置された凹所に係合可能な爪部と、この爪部と連動するテープカートリッジ係止部を有する係止片を設けた構成により、通常の挿入時には、爪部がテープカートリッジの凹所に係合し、これに連動するテープカートリッジ係止部はテープカートリッジが係止しない位置となり、また逆挿入時には、爪部がテープカートリッジの凹所に係合せず、これに連動するテープカートリッジ係止部はテープカートリッジが係止する位置となり、以て確実にテープカートリッジの逆挿入を防止する作用を有する。
【０００７】
また本発明の請求項２は、請求項１記載のテープカートリッジ逆挿入防止機構において、凹所に係合可能な爪部と、この爪部と連動するテープカートリッジ係止部を一体に有する係止片を設けた構成により、この係止片の製作やテープカートリッジホルダーへの組み付けを容易に行えるとともに、連動動作を容易にして、より確実にテープカートリッジの逆挿入を防止する作用を有する。
【０００８】
そして本発明の請求項３は、請求項１または請求項２記載のテープカートリッジ逆挿入防止機構において、凹所に係合可能な爪部と、この爪部と連動するテープカートリッジ係止部を複数個有する構成により、複数箇所での係脱によって、より確実にテープカートリッジの逆挿入を防止する作用を有する。
【０００９】
【発明の実施の形態】
以下に、本発明の請求項１、請求項２および請求項３に対応するテープカートリッジ逆挿入防止機構の実施の形態について、図１、図２、図３、図４を用いて説明する。図１は本発明によるテープカートリッジ逆挿入防止機構の通常挿入状態の断面図であり、図２、図３、図４は逆挿入状態の断面図を示す。
【００１０】
図１〜図４において、１はテープカートリッジであり、その中心位置とは異なる位置には、一面側に開放するリール駆動用孔（凹所の一例。）１ａを配置している。２はテープカートリッジホルダーであり、前面が開放された挿入空間２ａを形成するとともに、挿入空間２ａに対して下方位置でかつ前後方向の所定箇所には、左右方向（横方向）の支点部（支持軸）３を介して、係止片４を上下方向に揺動自在（シーソー運動自在）に設けている。
【００１１】
この係止片４の前端部分には、前記テープカートリッジ１のリール駆動用孔１ａに係合可能な爪部４ａを上方へと突設しており、また後端部分には、テープカートリッジ１の挿入側前面に係合可能なテープカートリッジ係止部４ｂを上方へと突設している。ここで爪部４ａとテープカートリッジ係止部４ｂとは、前述した係止片４の揺動によって、挿入空間２ａに対して可逆的に出退動可能に構成している。そして係止片４は、テープカートリッジ１を挿入していないとき、すなわち挿入空間２ａが空のとき、爪部４ａが挿入空間２ａに突入するように、ばねやウエイトなどにより揺動付勢している。
【００１２】
以下に、上記した実施の形態における作用を説明する。
通常の挿入状態では図１に示すように、係止片４の爪部４ａがテープカートリッジ１のリール駆動用孔１ａに係合し、これに連動して、係止片４が支点部３を介して揺動することによって、テープカートリッジ係止部４ｂはテープカートリッジ１が係止しない位置となり、以てテープカートリッジ１は、テープカートリッジホルダー３における挿入空間２ａの奥（後端）まで確実に挿入することができる。
【００１３】
また逆挿入時、すなわち図２に示すように前後の向きを逆とした逆挿入時（逆挿入状態例１）、図３に示すように表裏ならびに前後の向きを逆とした逆挿入時（逆挿入状態例２）、図４に示すように表裏の向きを逆とした逆挿入時（逆挿入状態例３）には、係止片４の爪部４ａがテープカートリッジ１の外形面（下面）に規制されて、このテープカートリッジ１側には係合せず、これに連動して、係止片４が支点部３を介して揺動することによって、テープカートリッジ係止部４ｂはテープカートリッジ１が係止する位置となり、以てテープカートリッジ係止部４ｂがテープカートリッジ１の挿入側前面に係止して、テープカートリッジ１がテープカートリッジホルダー３に逆挿入されるのを確実に阻止することができる。
【００１４】
上記した実施の形態では、凹所としてリール駆動用孔１ａが示されているが、これはテープカートリッジ１に配置している種々な凹部や貫通部などを凹所として、爪部４ａを係合可能とした構成であってもよい。
【００１５】
上記した実施の形態では、爪部４ａとテープカートリッジ係止部４ｂを一体に有する係止片４を採用しており、これによると、係止片４の製作や支点部３への組み付けを容易に行うことができるとともに、連動動作を容易にして、より確実にテープカートリッジ１の逆挿入を防止できる。しかし、爪部４ａとテープカートリッジ係止部４ｂとを別体として、連動するようにした構成であってもよい。
【００１６】
上記した実施の形態において、爪部４ａと、爪部４ａと連動するテープカートリッジ係止部４ｂとは、１個または複数個のいずれであってもよいが、複数個としたときには、複数箇所での係脱によって、より確実にテープカートリッジ１の逆挿入を防止できる。
【００１７】
【発明の効果】
以上説明したように、本発明によれば、外形形状に傾斜部を有さないテープカートリッジであったとしても、逆挿入を確実に防止することができるテープカートリッジ逆挿入防止機構を提供することができる。
【図面の簡単な説明】
【図１】本発明の一実施の形態によるテープカートリッジ逆挿入防止機構の通常挿入状態を示す断面図
【図２】本発明の一実施の形態によるテープカートリッジ逆挿入防止機構の逆挿入状態例１を示す断面図
【図３】本発明の一実施の形態によるテープカートリッジ逆挿入防止機構の逆挿入状態例２を示す断面図
【図４】本発明の一実施の形態によるテープカートリッジ逆挿入防止機構の逆挿入状態例３を示す断面図
【符号の説明】
１    テープカートリッジ
１ａ  リール駆動用孔（凹所）
２    テープカートリッジホルダー
２ａ  挿入空間
３    支点部
４    係止片
４ａ  爪部
４ｂ  テープカートリッジ係止部
【図１】
2004220669.tif 000003
【図２】
2004220669.tif 000004
【図３】
2004220669.tif 000005
【図４】
2004220669.tif 000006